(57)【要約】【課題】顧客の携帯端末と給油装置とを通信自在として給油及び精算を行うことができる給油装置等を提供する。【解決手段】携帯端末４から、給油設定に関する情報と、携帯端末で決済するために予め入金された入金額に関する情報とを受信する受信手段を備え、受信手段が携帯端末から両情報を受信すると、給油装置の給油設定がなされる給油装置２。給油設定に関する情報は油種を含むことができる。顧客毎の給油設定に関する情報を記憶する記憶手段と、携帯端末から、給油設定に関する情報と、携帯端末で決済するために予め入金された入金額に関する情報を受信する受信手段と、受信手段が両情報を受信した際に、携帯端末を使用する顧客に対応する給油設定に関する情報を記憶手段から検索する検索手段と、検索手段によって検索された携帯端末を使用する顧客に対応する給油設定に関する情報を給油装置に送信する送信手段とを備えるサーバ３。【選択図】図１
2020064551.tif 000002
【特許請求の範囲】
【請求項１】
携帯端末から、給油設定に関する情報と、該携帯端末で決済するために予め入金された入金額に関する情報とを受信する受信手段を備え、
該受信手段が前記携帯端末から前記両情報を受信すると、該給油装置の給油設定がなされることを特徴とする給油装置。
【請求項２】
携帯端末から給油設定に関する情報と、該携帯端末で決済するために予め入金された入金額に関する情報を受信したサーバから該両情報を受信する受信手段を備え、
該受信手段が前記サーバから前記両情報を受信すると、該給油装置の給油設定がなされることを特徴とする給油装置。
【請求項３】
前記給油設定に関する情報は、油種を含むことを特徴とする請求項１又は２に記載の給油装置。
【請求項４】
前記携帯端末で決済するために予め入金された入金額を超える給油が行われる際に、該携帯端末に追加入金を促すことを特徴とする請求項１、２又は３に記載の給油装置。
【請求項５】
顧客毎の給油設定に関する情報を記憶する記憶手段と、
携帯端末から、給油設定に関する情報と、該携帯端末で決済するために予め入金された入金額に関する情報を受信する受信手段と、
該受信手段が前記両情報を受信した際に、該携帯端末を使用する顧客に対応する給油設定に関する情報を前記記憶手段から検索する検索手段と、
該検索手段によって検索された前記携帯端末を使用する顧客に対応する給油設定に関する情報を給油装置に送信する送信手段とを備えることを特徴とするサーバ。
【請求項６】
前記給油装置による給油が終了して該給油に関する情報を前記給油装置から受信すると、受信した給油情報と給油を行った顧客のＩＤを関連付けると共に、該給油情報として、油種、給油方法及び精算方法を記憶することを特徴とする請求項５に記載のサーバ。
【請求項７】
請求項２に記載の給油装置と、請求項５又は６に記載のサーバとを備えることを特徴とする給油所システム。
【発明の詳細な説明】
【技術分野】
【０００１】
本発明は、給油装置、サーバ及び給油所システムに関し、特に、顧客の携帯端末と給油装置とを通信自在として給油及び精算を行うことができる給油装置等に関する。
【背景技術】
【０００２】
近年、人件費削減等の目的で給油作業、窓拭き等のサービス作業、及び給油料金の精算作業を顧客自身が行うセルフサービス方式の給油所が急増している。このようなセルフサービス方式の給油所では、給油案内のための表示や音声に従って顧客が給油装置を操作して油種や給油量等の給油設定データを入力すると共に、給油終了後に料金精算を行う。
【０００３】
一方、最近では、スマートフォン、タブレット等の携帯端末が普及し、通話機能だけでなく、インターネットを介してデータを送受信したり、各種サービスが提供されている。
【０００４】
本出願人は、特許文献１でインターネット等の通信ネットワークを利用して携帯端末から給油設定データを入力できると共に、料金精算の簡略化を図った給油所システムを提案した。
【先行技術文献】
【特許文献】
【０００５】
【特許文献１】特開２００２−２３４６００号公報
【発明の概要】
【発明が解決しようとする課題】
【０００６】
上記特許文献１に記載の発明も有効であるが、給油装置と、給油所用販売装置と、給油情報統括センターと、元売りセンター等でシステムが構成され、給油設定及び料金精算を行う際に、各々の装置やセンターに設けられた機器が通信ネットワークを介して互いに通信する必要がある。そのため、いずれかの機器でトラブルが発生すると、給油及び精算ができなくなる虞がある。
【０００７】
そこで、本発明は、顧客の携帯端末と給油装置とを通信自在として給油及び精算を行うことができる給油装置等を提供することを目的とする。
【課題を解決するための手段】
【０００８】
上記目的を達成するため、本発明の給油装置は、携帯端末から、給油設定に関する情報と、該携帯端末で決済するために予め入金された入金額に関する情報とを受信する受信手段を備え、該受信手段が前記携帯端末から前記両情報を受信すると、該給油装置の給油設定がなされることを特徴とする。
【０００９】
本発明の給油装置によれば、顧客が予め給油設定データを携帯端末に設定し、該携帯端末で決済するために予め入金しておけば、給油装置の給油設定を簡単に行うことができて煩わしい給油設定を簡略化することができる。また、給油料金の精算は、携帯端末に予め入金された金額より減算されるため、給油所側の設備投資を軽減できる。
【００１０】
また、本発明の給油装置は、携帯端末から給油設定に関する情報と、該携帯端末で決済するために予め入金された入金額に関する情報を受信したサーバから該両情報を受信する受信手段を備え、該受信手段が前記サーバから前記両情報を受信すると、該給油装置の給油設定がなされることを特徴とする。
【００１１】
本発明の給油装置によれば、上記給油装置と同様の効果を奏すると共に、顧客の携帯端末が給油装置から信号を受信した後、給油装置と携帯端末との間の通信が遮断した場合でも、サーバを介して両者の間における通信を確立することができる。
【００１２】
前記給油設定に関する情報が油種を含むことで、誤給油を防止することができる。
【００１３】
また、前記携帯端末で決済するために予め入金された入金額を超える給油が行われる際に、該携帯端末に追加入金を促すことで、料金の支払いが滞るのを防止することができる。
【００１４】
また、本発明は、サーバであって、顧客毎の給油設定に関する情報を記憶する記憶手段と、携帯端末から、給油設定に関する情報と、該携帯端末で決済するために予め入金された入金額に関する情報を受信する受信手段と、該受信手段が前記両情報を受信した際に、該携帯端末を使用する顧客に対応する給油設定に関する情報を前記記憶手段から検索する検索手段と、該検索手段によって検索された前記携帯端末を使用する顧客に対応する給油設定に関する情報を給油装置に送信する送信手段とを備えることを特徴とする。
【００１５】
本発明のサーバによれば、顧客の携帯端末が給油装置から信号を受信した後、給油装置と携帯端末との間の通信が遮断した場合でも、サーバを介して両者の間における通信を確立することができる。
【００１６】
上記サーバは、前記給油装置による給油が終了して該給油に関する情報を前記給油装置から受信すると、受信した給油情報と給油を行った顧客のＩＤを関連付けると共に、該給油情報として、油種、給油方法及び精算方法を記憶することができる。これにより、誤給油を確実に防止することができる。
【００１７】
さらに、本発明は、上記給油装置とサーバとを備えた給油所システムであって、誤給油を確実に防止することができると共に、顧客の携帯端末が給油装置から信号を受信した後、給油装置と携帯端末との間の通信が遮断した場合でも通信を維持可能な給油所システムを提供することができる。
【発明の効果】
【００１８】
以上のように、本発明によれば、顧客の携帯端末と給油装置とを通信自在として給油及び精算を行うことができる給油装置等を提供することができる。
【図面の簡単な説明】
【００１９】
【図１】本発明に係る給油所システムの一実施の形態を示す概略図である。
【図２】図１に示す給油装置と通信する携帯端末の表示画面の推移を示す概略図である。
【図３】図１に示す給油装置及び携帯端末の動作を示すフローチャートである。
【発明を実施するための形態】
【００２０】
次に、本発明を実施するための形態について、図面を参照しながら詳細に説明する。
【００２１】
図１は、本発明に係る給油所システムの一実施の形態を示し、この給油所システム１は、給油装置２と、クラウドを構成するサーバ３とで構成される。
【００２２】
給油装置２は、本体２１内に、給油ポンプ１４、給油モータ１５、流量計１７、流量パルス発信器１８等の給油機構を左右に２系統備え、給油ノズル２６を一端に有する給油ホース１６、ノズル掛け１９、表示器２０、給油制御装置２２等の一般的な構成要素の他に、本発明に特有の携帯端末有無センサ１１、通信手段１２及び識別コード読取手段１３を備える。また、給油装置２には、地下に埋設された貯油タンク（不図示）に連通する給油管１０が接続される。
【００２３】
給油ポンプ１４は、給油制御装置２２の制御に基づき動作する給油モータ１５によって駆動され、給油管１０を介して貯油タンクから燃料油を吸引する。流量パルス発信器１８は、流量計１７を流れる燃料油の量に基づく信号（パルス）を給油制御装置２２へ送信し、給油量が計測される。流量計１７の出口側に給油ホース１６が接続され、給油ホース１６の先端には給油ノズル２６が設けられる。給油ノズル２６は、本体２１に設けられたノズル掛け１９に着脱自在に掛けられる。
【００２４】
表示器２０は、給油制御装置２２の制御に基づき、給油量や給油金額、単価等を表示する。給油制御装置２２は、本体２１に設けられた上記機器を制御するために設けられ、通信手段１２を介して携帯端末４から受信した情報等に基づき、本体２１内の各機器の動作を制御する。
【００２５】
通信手段１２は、電波発信手段としてＢＬＥビーコンを用いることができるが、携帯端末４と通信する手段（ＷＩＦＩ等）は特に限定されない。
【００２６】
携帯端末有無センサ１１は、顧客の携帯端末４が載置されたか否かを判断するために備えられ、識別コード読取手段１３は、顧客の携帯端末４に表示されたバーコード、ＱＲコード（登録商標）等のコードを読み取るために設けられる。
【００２７】
サーバ３は、給油装置２が配置された給油所、又はこの給油所を含む複数の給油所を管理し、給油装置２及び携帯端末４とインターネット等を介して通信可能である。サーバ３は、表１に示すように、顧客毎に定められた顧客ＩＤ、油種、給油方法及び精算方法に関する給油設定データ３ａと、給油データ（車両に給油を行った際の給油量等）３ｂを蓄積すると共に、給油データ３ｂに基づいて給油所の売上データ３ｃの管理を行う。
【００２８】
【表１】
2020064551.tif 000003
【００２９】
また、サーバ３は、携帯端末４を使用する顧客に対応する給油設定に関する情報を、蓄積した給油設定データ３ａから検索する手段と、検索した情報を給油装置２に送信する送信手段とを備え、給油データ３ｂを給油を行った顧客のＩＤと関連付け、油種、給油方法及び精算方法を記憶する。
【００３０】
携帯端末４は、顧客が所有するスマートフォンや、タブレット等であって、給油装置２及びサーバ３と通信する機能と、給油設定データを入力したり、給油データや給油伝票等を表示する機能等を備える。
【００３１】
次に、上記構成を有する給油所システム１の動作について説明するが、まず、サーバ３を用いずに給油装置２のみで対応する場合について図１〜図３を参照しながら説明する。
【００３２】
顧客は予め携帯端末４に給油料金を支払うための金額をチャージする。図２（ａ）に示す携帯端末４の表示画面の「チャージ」を選択し、図２（ｂ）で「クレジット」、「デビット」又は携帯での「料金決済」のいずれかを選択して「ＯＫ」を押下する。ここでは、「クレジット」決済を選択したこととする。
【００３３】
次に、図２（ｃ）で給油する油種を「レギュラー」、「ハイオク」及び「軽油」の中から一つ選択し、図２（ｄ）でチャージする金額を入力する。ここでは、図２（ｃ）で「レギュラー」を選択して「ＯＫ」を押下し、図２（ｄ）で１万円を入力して「ＯＫ」を押下したものとする。これによって、図２（ｅ）に示すように、「クレジット」決済で、「レギュラー」ガソリンを選択し、１万円をチャージしたことになる。
【００３４】
次に、顧客は携帯端末４に給油設定を行う。図２（ａ）に示す携帯端末４の表示画面の「給油」を選択し、図２（ｆ）で「満タン」、「定額（給油する金額を設定する）」又は「定量（給油量を設定する）」のいずれかを選択して「ＯＫ」を押下する。ここでは、「満タン」を選択したこととする。油種は、上記図２（ｃ）で既に選択済みであるため、図２（ｇ）では、「レギュラー」と「満タン」が表示される。ここで「ＯＫ」を押下することで、図２（ｈ）又は図２（ｉ）に移行する。
【００３５】
図２（ｈ）は、携帯端末４から給油装置２へ給油設定データをＷＩＦＩ、ＢＬＥ通信等で直接送信するものであって、図２（ｈ）の画面から「出力」を押下することで、給油設定データが給油装置２へ送られる。一方、図２（ｉ）は、給油設定データを二次元コード等として携帯端末４の画面に表示するものであって、給油装置２の識別コード読取手段１３によって二次元コード等を読み込むことで給油設定データが給油装置２に取り込まれる。
【００３６】
次に、上記給油料金を支払うための金額をチャージし、給油設定を行った携帯端末４と、給油装置２の動作について図３を中心に説明する。
【００３７】
まず、携帯端末４のステップＳ２１において、携帯端末４が通信範囲内に位置するか否かを判断する。具体的には、通信範囲内に位置する場合には、給油装置２から発せられたビーコンのビーコンＩＤが入力されると（ステップＳ２１；Ｙｅｓ）、携帯端末４は、ステップＳ２２で給油装置２へ給油許可信号を送信する。
【００３８】
携帯端末４からの給油許可信号を受信した給油装置２は、来客があったと判断し（ステップＳ１；Ｙｅｓ）、ステップＳ２で携帯端末４に給油設定許可信号を送信する。これを受けた携帯端末４は、給油設定データを二次元コード等として携帯端末４の画面に出力（表示）するか（ステップＳ２４）、直接給油装置２に送信する（ステップＳ２５）。
【００３９】
給油装置２のステップＳ３において、上記二次元コード等を識別コード読取手段１３によって読み込むか、給油設定データが入力されると（ステップＳ３；Ｙｅｓ）、ステップＳ４において、顧客が給油ノズル２６をノズル掛け１９から取り外し、給油装置２のノズルＳＷ（スイッチ）がオンになると（ステップＳ４；Ｙｅｓ）、ステップＳ５において、ステップＳ３で入力された給油設定データの油種に対応する給油ノズル２６が取り外されているか否かを判定し、正しい給油ノズル２６が取り外されている場合には（ステップＳ５；Ｙｅｓ）、給油装置２の表示器２０にリセット信号が送信され、前回なされた給油に関する情報の帰零（リセット）がなされると共に、給油ポンプ１４が駆動される（ステップＳ６）。
【００４０】
一方、ステップＳ４において、顧客が誤った給油ノズル２６を取り外していた場合には（ステップＳ５；Ｎｏ）、表示器２０等を介して顧客に給油ノズル２６を確認するよう報知する（ステップＳ７）。
【００４１】
ステップＳ８において、給油ポンプ１４が駆動されて流量計１７もＯＮになり、さらに流量パルス発信器１８がＯＮになり、流量パルス発信器１８からパルス信号が表示器２０に送信されると（ステップＳ８；Ｙｅｓ）、ステップＳ９において、計数データの出力が携帯端末４に送信される。
【００４２】
携帯端末４のステップＳ２６において、給油装置２から計数データ出力の停止が入力されたか否かが判断され、計数データ出力の停止が入力されない場合には（ステップＳ２６；Ｎｏ）、ステップＳ２８で携帯端末４が所定位置より外れているか否かが判断され、携帯端末４が所定位置より外れている場合には（ステップＳ２８；Ｙｅｓ）、ステップＳ２９で計数データから給油金額を演算する。これは、顧客が給油中に支払いをせずに立ち去る場合があることを考慮したものであり、その時点の給油量で料金を精算するので精算漏れが生ずることがない。一方、携帯端末４が所定位置より外れていない場合には（ステップＳ２８；Ｎｏ）、ステップＳ２６に戻る。
【００４３】
携帯端末４のステップＳ２６において、給油装置２から計数データ出力の停止が入力された場合には（ステップＳ２６；Ｙｅｓ）、ステップＳ２７で給油決済入力がなされたか否かを判断する。ステップＳ２７で給油決済入力がなされない場合には、給油決済入力がなされるまで待機する。
【００４４】
ここで、上記給油決済入力について説明する。給油所システム１のステップＳ９で計数データ出力を送信した後、ステップＳ３で入力された給油設定に基づく給油が完了すると、顧客が給油ノズル２６をノズル掛け１９に戻すことでノズルＳＷがオフになる。ステップＳ１０でノズルＳＷがオフになったか否かを判断し、オフになった場合には（ステップＳ１０；Ｙｅｓ）、ステップＳ１１で計数データ出力停止を送信して給油ポンプ１４の駆動を停止する。ステップＳ１０でノズルＳＷがオフになっていない場合には（ステップＳ１０；Ｎｏ）、ステップＳ８に戻る。
【００４５】
ステップＳ１１で計数データ出力停止を送信した後、携帯端末４へステップＳ１２で給油決済信号を送信し、携帯端末４のステップＳ２７で給油決済入力がなされたか否かを判断する。
【００４６】
ステップＳ２７で給油決済入力がなされるか（ステップＳ２７；Ｙｅｓ）、ステップＳ２９で計数データから給油金額が演算されると、入金された金額に不足があるか否かが判断され、不足がない場合には（ステップＳ３０；Ｙｅｓ）、ステップＳ３１で給油明細が携帯端末４の画面に表示される。一方、不足がある場合には（ステップＳ３０；Ｎｏ）、ステップＳ３２で予め設定された方法で自動チャージ（追加入金）を行う。これによって、料金不足時であっても支払いが滞ることがない。
【００４７】
ステップＳ３１で給油明細が携帯端末４の画面に表示された後、顧客が携帯端末４の支払ボタンを押すか、給油明細の表示時間Ｔが所定時間ｔ１に達すると（ステップＳ３３；Ｙｅｓ）、顧客の確認が完了したとしてステップＳ３４で給油決済を行い、ステップＳ３５で給油が終了したことを表示して給油動作が完了する。
【００４８】
尚、携帯端末４を紛失した際の不正使用防止を行うため、支払金額の上限を設定することが好ましい。例えば、１日１回の給油で１万円、又は１日で１万円（複数回の給油が可能）を上限とすることができる。
【００４９】
以上のように、本実施の形態における給油装置２によれば、顧客が予め精算方法を含む給油設定データを定めていれば、顧客が所有する携帯端末４と通信するだけで給油設定及び精算処理を行うことができ、精算装置も不要になる。また、給油装置２において、顧客が手動で給油設定を行うための機構を省略することができるため、給油所側の設備投資を削減することができる。さらに、顧客が給油の度に給油設定を行うことで誤った給油設定がなされる回数が減り、誤給油の防止にもなる。尚、給油装置２の売上管理は、ＰＯＳ端末（不図示）で行うことができる。
【００５０】
また、給油装置２と携帯端末４が直接通信を行うため、サーバ３等を設けずに済み、給油所側の設備投資を削減することができる。また、サーバ３を介さずに通信を行うことで、給油動作をより迅速に行うことができる。
【００５１】
次に、サーバ３を用いた給油所システム１の動作について説明する。携帯端末４は、給油所システム１及びサーバ３と通信可能であり、顧客は予め携帯端末４のアプリ等を介してサーバ３に顧客ＩＤ、油種、給油方法及び精算方法に関する給油設定データを登録する。
【００５２】
携帯端末４が通信範囲内に位置する場合には、給油装置２から発せられたビーコンのビーコンＩＤが入力されると、携帯端末４は、サーバ３に対してビーコンＩＤと顧客ＩＤを出力し、これらを受けたサーバ３は、対応する顧客の給油設定データを給油装置２に出力する。
【００５３】
サーバ３から給油設定データが入力されると、給油装置２において給油設定が行われ、図３と同様の要領で給油がなされる。給油が完了すると、給油データをサーバ３に対して出力して給油装置２の動作は終了する。
【００５４】
給油装置２から給油データが入力されると、サーバ３は、給油データ３ｂとして蓄積すると共に、給油データ３ｂに基づいて給油所の売上データ３ｃの管理を行う。
【符号の説明】
【００５５】
１  給油所システム
２  給油装置
３  サーバ
４  携帯端末
１０  給油管
１１  携帯端末有無センサ
１２  通信手段
１３  識別コード読取手段
１４  給油ポンプ
１５  給油モータ
１６  給油ホース
１７  流量計
１８  流量パルス発信器
１９  ノズル掛け
２０  表示器
２１  本体
２２  給油制御装置
２６  給油ノズル
【図１】
2020064551.tif 000004
【図２】
2020064551.tif 000005
【図３】
2020064551.tif 000006